(57)【要約】【課題】比較的簡単な構造で、検温の対象の温度状態を遠くからでも確実に認識させることができる温度報知装置を提供する。【解決手段】ＭＰＵ１１は、検出温度値と基準温度値との差分の絶対値を温度幅値で除し、得られた値及び基準温度より高温であるか又は低温であるかの判断結果に基づいて、基準色、各高温側色、又は各低温側色の内の対応する色を決定し、発光部３の発光色を決定した色に切り替える命令を、発光部３の発光動作を制御する発光制御部１３に与えて、発光部３の発光色を決定した色に切り替えさせる。【選択図】図２
2005127742.tif 000002
【特許請求の範囲】
【請求項１】
温度検出手段によって検出した対象の温度を報知する温度報知装置において、
複数色を発光可能な発光手段と、前記温度検出手段が検出した検出温度に基づいて前記発光手段に発光させる色を定める発光色決定手段と、定められた色を前記発光手段に発光させる制御手段とを備えることを特徴とする温度報知装置。
【請求項２】
前記発光色決定手段には、第１温度及び第２温度、並びに、第１温度に対応する色及び第１温度から第２温度ずつ異なる都度に対応する相異なる色が予め設定してあり、発光色決定手段は、第１温度と前記検出温度との差及び第２温度を用いて、前記複数の色から、検出温度に対応する色を選定するようにしてある請求項１記載の温度報知装置。
【請求項３】
前記第１温度及び／又は第２温度を設定する温度設定手段を備える請求項２記載の温度報知装置。
【請求項４】
前記温度設定手段は、温度を入力するためのボタンを具備する請求項３記載の温度報知装置。
【請求項５】
前記温度設定手段は、温度を入力するための無線信号を受信する受信部を具備する請求項３記載の温度報知装置。
【請求項６】
受けた光によって発電する光発電手段及びこの光発電手段から出力された電力を蓄えて放出する充放電手段を備える請求項１から５のいずれかに記載の温度報知装置。
【請求項７】
前記温度検出手段、発光色決定手段及び制御手段を格納した本体を備え、前記発光手段は本体から離隔させてある請求項１から６のいずれかに記載の温度報知装置。
【請求項８】
温度検出手段は、前記対象を保持する保持部と、この保持部に配設した温度検出部とを具備する請求項１から７のいずれかに記載の温度報知装置。
【請求項９】
前記各手段を格納した防水ケースを備える請求項１から６のいずれかに記載の温度報知装置。
【発明の詳細な説明】
【技術分野】
【０００１】
本発明は、検出した温度を外部に報知する温度報知装置に関する。
【背景技術】
【０００２】
検出した温度を外部に知らせる温度報知装置として、アルコール又は水銀等の液状体を封入したガラス管の側方に目盛りをガラス管に沿って付したアナログ型の温度計と、検出した温度を液晶等によって数字で表示する表示部を備えるディジタル型の温度計とがある。そして、前者の温度計では、ガラス管内を進退する流状体の先端が位置する目盛りの数値によって検出した温度を報知し、後者の温度計では、検出した温度を表示部に表示することによって報知している。
【０００３】
一方、後記する特許文献１には、次のような温度報知装置が開示されている。即ち、検出温度に応じた色彩に変化する感熱テープを被検温物に貼着しておく一方、投光器から前記感熱テープに光を照射し、感熱テープからの反射光を受光器に入射させる。そして、受光器は入射光をそれに応じた電気信号に変換し、それを比較器に出力する。従って、この受光器の出力信号の値は、感熱テープの色彩に対応している。前述した比較器には、上限温度における感熱テープの色彩に対応する前記出力信号の値である基準値が予め設定してあり、比較器は受光器からの入力信号の値と基準値とを比較し、比較結果を出力する。
【０００４】
【特許文献１】実開昭６１−８１７３７号公報（第１図、第４図）
【発明の開示】
【発明が解決しようとする課題】
【０００５】
しかしながら、温度計にあっては、前述したいずれのタイプの場合においても、目盛り又は表示部に表示された数字を識別できる距離まで接近しなければ、当該温度計が報知した温度を認識することができないという問題があった。また、前述した特許文献１に開示された温度報知装置にあっては、被検温物の温度と上限温度との比較結果しか報知することができない上に、投光器及び受光器を備えるため、外光の影響を受けない構造にしなければならず、装置の構造が複雑であるという問題があった。
【０００６】
本発明は、斯かる事情に鑑みてなされたものであって、比較的簡単な構造で、検温の対象の温度状態を遠くからでも確実に認識させることができる温度報知装置を提供する。
【課題を解決するための手段】
【０００７】
請求項１記載の本発明は、温度検出手段によって検出した対象の温度を報知する温度報知装置において、複数色を発光可能な発光手段と、前記温度検出手段が検出した検出温度に基づいて前記発光手段に発光させる色を定める発光色決定手段と、定められた色を前記発光手段に発光させる制御手段とを備えることを特徴とする。
【０００８】
請求項２記載の本発明は、前記発光色決定手段には、第１温度及び第２温度、並びに、第１温度に対応する色及び第１温度から第２温度ずつ異なる都度に対応する相異なる色が予め設定してあり、発光色決定手段は、第１温度と前記検出温度との差及び第２温度を用いて、前記複数の色から、検出温度に対応する色を選定するようにしてあることを特徴とする。
【０００９】
請求項３記載の本発明は、前記第１温度及び／又は第２温度を設定する温度設定手段を備えることを特徴とする。
【００１０】
請求項４記載の本発明は、前記温度設定手段は、温度を入力するためのボタンを具備することを特徴とする。
【００１１】
請求項５記載の本発明は、前記温度設定手段は、温度を入力するための無線信号を受信する受信部を具備することを特徴とする。
【００１２】
請求項６記載の本発明は、受けた光によって発電する光発電手段及びこの光発電手段から出力された電力を蓄えて放出する充放電手段を備えることを特徴とする。
【００１３】
請求項７記載の本発明は、前記温度検出手段、発光色決定手段及び制御手段を格納した本体を備え、前記発光手段は本体から離隔させてあることを特徴とする。
【００１４】
請求項８記載の本発明は、温度検出手段は、前記対象を保持する保持部と、この保持部に配設した温度検出部とを具備することを特徴とする。
【００１５】
請求項９記載の本発明は、前記各手段を格納した防水ケースを備えることを特徴とする。
【発明の効果】
【００１６】
請求項１記載の本発明では、対象の温度を検出する温度検出手段と、複数色を発光可能な発光手段と、前記温度検出手段が検出した検出温度に基づいて前記発光手段に発光させる色を定める発光色決定手段と、定められた色を前記発光手段に発光させる制御手段とを備えるため、発光手段が発光した色によって検出温度を認識させることができ、対象の温度状態を遠くからでも確実に認識させることができる。
【００１７】
請求項２記載の本発明では、発光色決定手段は、第１温度と検出温度との差及び第２温度を用いて、予め設定した複数の色から、検出温度に対応する色を選定するようにしてあるため、検出温度と基準温度たる第１温度との異同、及び検出温度と第１温度が異なる場合は、温度幅たる第２温度ごとにその異なる程度を、発光手段が発光した色によって認識させることができる。
【００１８】
請求項３記載の本発明では、第１温度及び／又は第２温度を設定する温度設定手段を備えるため、対象に応じた第１温度及び／又は第２温度を任意に設定・変更することができる。
【００１９】
請求項４記載の本発明では、温度設定手段は、温度を入力するためのボタンを具備するため、第１温度及び／又は第２温度の設定・変更作業を容易に行うことができる。
【００２０】
請求項５記載の本発明では、温度設定手段は、温度を入力するための無線信号を受信する受信部を具備するため、第１温度及び／又は第２温度の設定・変更をリモートコントローラ等によって離れた位置から行うことができる。
【００２１】
請求項６記載の本発明では、受けた光によって発電する光発電手段及びこの光発電手段から出力された電力を蓄えて放出する充放電手段を備えるため、電源配線のない、例えば屋外でも使用することができる。
【００２２】
請求項７記載の本発明では、温度検出手段、発光色決定手段及び制御手段を格納した本体から、発光手段を離隔させてあるため、目視が困難な対象であっても、発光手段を目視が容易な位置に配設することによって、対象の温度状態を容易に認識することができる。一方、例えば複数の発光手段を設けた場合、発光手段の発光色が変化するため、インテリアとして利用することもできる。
【００２３】
請求項８記載の本発明では、温度検出手段は、対象を保持する保持部と、この保持部に配設した温度検出部とを具備するため、半田こてといった移動性を有する対象の温度状態を容易に認識することができる。
【００２４】
請求項９記載の本発明では、前述した各手段を格納した防水ケースを備えるため、水上又は水中で使用するこができる。
【発明を実施するための最良の形態】
【００２５】
本発明では、対象の温度を検出する温度検出手段と、複数色を発光可能な発光手段と、前記温度検出手段が検出した検出温度に基づいて前記発光手段に発光させる色を定める発光色決定手段と、定められた色を前記発光手段に発光させる制御手段とを備える。この場合、温度検出手段としては、ＣＭＯＳ型等、検出した温度を電気信号として出力する素子を用い、発光手段としては、３色ＬＥＤ等を用いることができる。そして、発光色決定手段は、予め定められた複数の発光色から、温度検出手段が検出した検出温度に対応する発光色を選定することによって、発光手段に発光させる色を定め、制御手段は、定められた色を前記発光手段に発光させる。
【００２６】
この発光色決定手段には、第１温度及び第２温度、並びに、第１温度に対応する色及び第１温度から第２温度ずつ異なる都度に対応する相異なる色が予め設定してあり、発光色決定手段は、第１温度と前記検出温度との差を第２温度で除した値を用いて、前記複数の色から、検出温度に対応する色を選定する。
【００２７】
また、本発明では、第１温度及び／又は第２温度を設定する温度設定手段を備える。
【００２８】
この温度設定手段はボタンを具備しており、該ボタンを用いて入力された温度を第１温度及び／又は第２温度として設定する。
【００２９】
また、温度設定手段は、温度を入力するための無線信号を受信する受信部を具備しており、受信部が前記無線信号を受信した場合、第１温度及び／又は第２温度として設定する。なお、温度設定手段は、両者を備える構成としてもよい。
【００３０】
一方、本発明は、太陽電池のように受けた光によって発電する光発電手段と、この光発電手段から出力された電力を蓄えて放出する充放電手段とを備え、充放電型のバッテリ又はキャパシタ等の充放電手段を電源にしてある。
【００３１】
ところで、他の発明にあっては、温度検出手段、発光色決定手段及び制御手段を本体に格納し、発光手段を本体から離隔させる。
【００３２】
一方、温度検出手段を、対象を保持する保持部と、保持部に配設した温度検出部とで構成する。
【００３３】
また、各手段を防水ケースに格納する。
【００３４】
以下、本発明例を図面に基づいて詳述する。
【実施例１】
【００３５】
図１は、本発明に係る温度報知装置の一例を示す外観斜視図であり、図中、１は中空の筐体である。筐体１の適宜位置（図１では筐体１の底面）には、ＣＭＯＳ型（中・低温用）若しくは熱電対（高温用）又は放射温度センサ等、周囲温度を検出して検出信号を出力する温度センサ２が配設してあり、該温度センサ２が出力した検出信号は、筐体１の内部に設けた制御部に与えられるようになっている。
【００３６】
筐体１の正面の適宜位置には、複数色の光を発し得る発光部３が設けてあり、発光部３は、前記温度センサ２の検出温度が予め設定された基準温度（第１温度）であることを示す基準色、検出温度が基準温度より高いことを示す１又は複数の高温側色、及び検出温度が基準温度より低いことを示す１又は複数の低温側色を発光するようになっている。この発光部３は、例えば１又は複数の３色ＬＥＤを用いて構成することができ、これによって、発光部３の消費電力を低くすることができる。一方、発光部３は、互いに異なる色の複数のカラーフィルタ及び光源を用い、光源から適宜のカラーフィルタに投光することによって、複数色を発光するように構成してもよい。
【００３７】
また、筐体１には、前記基準温度を設定すると共に、発光部３の発光色を切り替える温度幅（第２温度）を設定するための温度設定部４が、前記発光部３とは位置を異ならせて配設してある。この温度設定部４は、筐体１の表面に、液晶表示器等によって設定温度を表示する表示部４１、昇温ボタン４２及び降温ボタン４３、決定ボタン４４、並びに設定切替ボタン４５等を配設してなり、昇降温ボタン４２，４３を操作して表示部４１に表示される温度数値を所要の温度数値にして決定ボタン４４を操作することによって基準温度を設定・変更するようになっている。そして、設定切替ボタン４５を操作して、表示部４１の表示を温度幅設定用の画面に切り替え、前同様、昇温ボタン４２及び降温ボタン４３並びに決定ボタン４４を操作して、所要の温度幅の値を設定・変更する。
【００３８】
これによって、温度センサ２が検出した温度が基準温度から温度幅ずつ異なる都度、発光部３の発光色が基準色から高温側色又は低温側色の対応する発光色に切り替えられる。なお、温度設定部４としては、前述した昇温ボタン４２及び降温ボタン４３に代えて、テンキーを設けた構成にしてもよい。
【００３９】
更に、筐体１には、前述した温度設定部４と同様、表示部、昇温ボタン、降温ボタン、決定ボタン、及び設定切替ボタン、並びに送信ボタン等を備えるリモートコントローラ５０から赤外線等、無線にて出力された信号を受信する受信部５が設けてあり、この受信部５を介してリモートコントローラ５０によって、前記基準温度及び温度幅を非接触で設定可能にもなっている。
【００４０】
筐体１からは電源コード８が延出してあり、該電源コード８を介して、前述した発光部３、温度センサ２及び後述する制御部等に給電される。
【００４１】
なお、本実施例では、温度設定部４並びに受信部５及びリモートコントローラ５０によって、基準温度及び温度幅を設定・変更し得るようにしてあるが、本発明はこれに限らず、温度設定部４又は受信部５及びリモートコントローラ５０で基準温度及び温度幅を設定・変更するようにしてもよい。一方、温度設定部４及び受信部５を設けず、製造時に予め基準温度及び温度幅を設定しておいてもよい。
【００４２】
図２は、図１に示した温度報知装置の制御系の構成を示すブロック図であり、図中、１０は前述した筐体１に格納された制御部である。なお、図中、図１に示した部分には同じ番号を付してその説明を省略する。また、図３は、図２に示した制御部１０の制御手順を示すフローチャートである。
【００４３】
温度設定部４によって設定された基準温度及び温度幅、又は受信部５にて受信された基準温度及び温度幅は、制御部１０に備えられたＭＰＵ１１に与えられるようになっており、ＭＰＵ１１は、それらの温度情報が与えられた場合、メモリ１２の該当領域に記憶してある温度情報を与えられた温度情報に更新する。
【００４４】
そして、ＭＰＵ１１は所定周期で次の一連の動作を実行する。即ち、ＭＰＵ１１は、メモリ１２の前記領域に記憶されている温度情報を読み出す一方、温度センサ２から出力された検出信号を読み込み（ステップＳ１，Ｓ２）、読み出した温度情報に含まれる基準温度の値と読み込んだ検出信号に係る検出温度値とを比較する（ステップＳ３，Ｓ４）。ＭＰＵ１１は、検出温度値が基準温度値より大きい場合は高温であると判断し、検出温度値と基準温度値とが同じである場合は基準温度であると判断し、検出温度値が基準温度値より小さい場合は低温であると判断する。そして、ＭＰＵ１１は、検出温度値と基準温度値との差分の絶対値を算出する（ステップＳ５）。
【００４５】
本実施例では、基準温度に対応する色を基準に、高温側及び低温側にそれぞれ３色、合計７色の色情報が、前述したメモリ１２に予め登録してある。即ち、基準色として緑が登録してあり、基準温度より温度幅値だけ高い温度までの温度領域の高温側色として黄が、それより温度幅値だけ高い温度までの温度領域の高温側色として橙が、更に温度幅値だけ高い温度のまでの温度領域の高温側色として赤がそれぞれ登録してあり、逆に、基準温度より温度幅値だけ低い温度までの温度領域の低温側色として水色が、それより温度幅値だけ低い温度までの温度領域の低温側色として青が、更に温度幅値だけ低い温度までの温度領域の低温側色として白がそれぞれ登録してある。なお、基準色の温度領域として、基準温度±数度を設定しておくこともできる。なお、これら各色、及び高温側及び低温側の色情報の数はこれに限られるものではないことはいうまでもない。
【００４６】
ＭＰＵ１１は、検出温度値と基準温度値との差分の絶対値を温度幅値で除し（ステップＳ６）、得られた値及び基準温度より高温であるか又は低温であるかの判断結果に基づいて、基準色、各高温側色、又は各低温側色の内の対応する色を決定し（ステップＳ７）、発光部３の発光色を決定した色に切り替える命令を、発光部３の発光動作を制御する発光制御部１３に与えて（ステップＳ８）、発光部３の発光色を決定した色に切り替えさせる。
【００４７】
このように本発明に係る温度報知装置は、投光器及び受光器等を不要として、検出した温度を比較的簡単な構造で報知することができる一方、発光色の種類によって検温対象の基準温度に対する相対的な温度状態を遠くからでも確実に認識させることができる。従って、検査員が接近することができない検温対象であっても、その温度状態を温度報知装置の発光色の種類によって遠方から容易に認識することができる。一方、例えば、一室内に複数の温度報知装置を配設した場合であっても、検査員が一箇所から見回すことによって、全ての温度報知装置の発光色を確認することができるため、温度管理を効率的に実行することができる。
【実施例２】
【００４８】
図４は、実施例２に係る温度報知装置を示す模式的側断面図であり、防水ケース２０によって水上で使用し得るようになしてある。なお、図中、図１及び図２に示した部分に対応する部分には同じ番号を付してその説明を省略する。
【００４９】
球状の防水ケース２０は略赤道上の位置で、上部ケース部２１と下部ケース部２２とを螺合させてあり、この螺合部分にＯリングを介装させて内部への水の浸入を防止している。この上部ケース部２１は無色透明のプラスチック材を成型してなり、上部ケース部２１の外面の適宜位置に、この防水ケース２０を係留すべく、ロープといった繋留部材を掛けまわすための倒立Ｕ字状の繋留部２３が突設してある。なお、防水ケース２０の容量は、内蔵する各部材の重量と防水ケース２０の浮力に応じて、当該温度報知装置が水上で浮くように定めてある。
【００５０】
防水ケース２０の内部であって、防水ケース２０の略赤道上の位置には、太陽電池のように受けた光によって電気を生成する円板状の光発電パネル６が受光面を上にして固定してあり、光発電パネル６の受光面上の適宜位置には、前述した発光部３が取付けてある。また、光発電パネル６の受光面上には、前述した受信部５が発光部３と位置を異ならせて取付けてあり、図１に示したリモートコントローラ５０から受信部５にて受信された前記温度情報は、内部配線を介して、光発電パネル６の下方に配設された制御基板９上に配設された制御部に与えられるようになっている。
【００５１】
下部ケース部２２は有色又は無色のプラスチック材を成型してなり、下部ケース部２２の底部に開設した細孔から外側へ、温度センサ２のセンシング部分が水密状態を保って突出させてある。そして、温度センサ２から出力される検出信号は内部配線を介して前記制御基板９の制御部に与えられるようになっている。
【００５２】
この温度センサ２の近傍には充放電型のバッテリ７が固定してあり、バッテリ７から前記発光部３、温度センサ２及び制御部等へ給電される一方、バッテリ７は前記光発電パネル６が生成した電力によって充電される。ところで、バッテリ７は比較的重いため、図４に示した如く、バッテリ７を下部ケース部２２の底部に配設することによって、温度報知装置を水上に浮かべた場合、上部ケース部２１及び光発電パネル６が上を向くようになしてある。
【００５３】
このような温度報知装置にあっては、前同様、制御部に備えられたＭＰＵは、メモリに記憶されている温度情報を読み出す一方、温度センサ２から出力された検出信号を読み込み、読み出した温度情報に含まれる基準温度の値と読み込んだ検出信号に係る検出温度値とを比較して、検出温度値が基準温度値と同じであるか、検出温度値が基準温度値より高温であるか、低温であるかを判断すると共に、検出温度値と基準温度値との差分の絶対値を算出する。そして、ＭＰＵは、この判断結果及び検出温度値と基準温度値との差分の絶対値を温度幅値で除して得られる値に基づいて、基準色、各高温側色、又は各低温側色の内の対応する色を決定し、発光部３の発光色を決定した色に切り替える命令を、発光部３の発光動作を制御する発光制御部に与えて、発光部３の発光色を決定した色に切り替えさせる。なお、これら制御部に備えられたＭＰＵ、メモリ、及び発光制御部の構成は図２に開示されている構成と同じである。
【００５４】
これによって、本実施例に係る温度報知装置は、前同様、投光器及び受光器等を不要として、検出した温度を比較的簡単な構造で報知することができる一方、発光色の種類によって検温対象の基準温度に対する相対的な温度状態を遠くからでも確実に認識させることができるのに加えて、水上でも使用することができ、水槽及び生簀の温度管理を容易に行うことができる。
【００５５】
なお、本実施例では、バッテリ７及び光発電パネル６を設けて、外部からの給電を不要としてあるが、本発明はこれに限らず、防水性の電源コードを防水ケース２０内に水密状態を保って挿通することによって、外部から給電するようにしてもよい。この場合、電源コードが繋留部材を兼ねることができると共に、バッテリ７及び光発電パネル６が不要になるため、装置コストを低減することができる。また、本実施例では、光発電パネル６及び充放電型のバッテリ７を設けてあるが、本発明はこれに限らず、電源として乾電池を交換可能に配設する構成にしてもよい。これによって、光発電パネル６を不要にすることができ、装置コストを低減することができる一方、水中でも使用することができる。
【００５６】
また、本実施例では、受信部  にリモートコントローラから温度情報を入力することによって基準温度及び温度幅を設定・変更するようにしてあるが、本発明はこれに限らず、例えば、制御基板  上に温度を設定するための昇降ボタン配設しておいてもよい。
【００５７】
ところで、防水ケース２０を体温計の形状とし、ボタン電池等を内蔵させることによって、体温計として使用することもできる。また、防水ケース２０に代えて、パーソナルコンピュータのスロットに挿入可能な形状のケースを用いることによって、パーソナルコンピュータの内部温度を報知することができる。
【００５８】
一方、本実施例に示したバッテリ７及び光発電パネル６を、図１に示した温度報知装置に適用することによって、電源コード８を差し込むコンセントの有無に拘わらず温度報知装置を配設することができる。
【実施例３】
【００５９】
図５は、実施例３に係る温度報知装置を示す外観斜視図であり、発光部を独立させた場合を示している。なお、図中、図１に対応する部分には同じ番号を付してその説明を省略する。
【００６０】
図５に示した如く、円盤状の本体３０に前述した制御部及び温度センサ等が設けてある。本体３０の上面中央には、円筒状の支柱３１が立設してあり、支柱３１の上端には、可撓性を有する中空柳枝状の複数の支持部材３２，３２，…の基端部が連結してある。本体３０からは複数のコードが延出してあり、各コードは支柱３１内を通って、各支持部材３２，３２，…の先端から各別に延出させてある。各支持部材３２，３２，…の先端には、発光部３，３，…がそれぞれ垂設してある。本実施例に係る発光部３，３，…は、ドングリ形状の透明なケース３４，３４，…と、該ケース３４，３４，…に内蔵された３色ＬＥＤを備え、前述した各コードから対応するケース３４，３４，…内の３色ＬＥＤに給電するようになっている。
【００６１】
このような温度報知装置にあっては、前同様、制御部に備えられたＭＰＵは、メモリに記憶されている温度情報を読み出す一方、温度センサから出力された検出信号を読み込み、読み出した温度情報に含まれる基準温度の値と読み込んだ検出信号に係る検出温度値とを比較して、検出温度値が基準温度値と同じであるか、検出温度値が基準温度値より高温であるか、低温であるかを判断すると共に、検出温度値と基準温度値との差分の絶対値を算出する。そして、ＭＰＵは、この判断結果及び検出温度値と基準温度値との差分の絶対値を温度幅値で除して得られる値に基づいて、基準色、各高温側色、又は各低温側色の内の対応する色を決定し、発光部３，３，…の発光色を決定した色に切り替える命令を、発光部３，３，…の発光動作を制御する発光制御部に与えて、発光部３，３，…の発光色を決定した色に切り替えさせる。なお、これら制御部に備えられたＭＰＵ、メモリ、及び発光制御部の構成は図２に開示されている構成と同じである。
【００６２】
これによって、本実施例に係る温度報知装置は、前同様、投光器及び受光器等を不要として、検出した温度を比較的簡単な構造で報知することができる一方、発光色の種類によって検温対象の基準温度に対する相対的な温度状態を遠くからでも確実に認識させることができるのに加えて、温度測定位置と発光位置とを異ならせることができるため、目視が困難な検温対象であっても、発光部３，３，…を目視が容易な位置に配設することによって、検温対象の温度状態を容易に認識することができる。一方、複数の発光部３，３，…を備え、発光部３，３，…の発光色が変化するため、インテリアとして利用することもできる。
【００６３】
なお、本体３０の形状及びケース３４，３４，…の形状は本実施例出示した形状に限られず、また、１つの発光部３だけ設けた構成でもよい。
【実施例４】
【００６４】
図６は、実施例４に係る温度報知装置を示す外観斜視図であり、温度センサを検温対象に配置するのに代えて、移動可能な検温対象を温度センサに移動するようにしてある。なお、図中、図１に対応する部分には同じ番号を付してその説明を省略する。
【００６５】
図６に示した如く、本体６０内には、前述したＭＰＵ、メモリ、及び発光制御部等を備える制御部が格納されており、本体６０の表面の適宜位置に、前述した発光部３並びに温度設定部及び／又は受信部が設けてある。本体６０には支持部６１が立設してあり、該支持部６１によって、半田こてといった対象を保持すべくその一端を塞止してなる筒状の保持部６２が、開口を斜め上方へ向けて揺動可能に支持されている。保持部６２内の塞止端部には温度センサが配設してあり、該温度センサが出力した検出信号は、本体６０内の制御部に与えられるようになっている。
【００６６】
このような温度報知装置にあっては、前同様、制御部は、温度センサが出力した検出温度が基準温度と同じであるか、高温であるか、又は低温であるかの判断結果及び検出温度値と基準温度値との差分の絶対値を温度幅値で除して得られる値に基づいて、基準色、各高温側色、又は各低温側色の内の対応する色を決定し、発光部３の発光色を決定した色に切り替える命令を、発光部３の発光動作を制御する発光制御部に与えて、発光部３の発光色を決定した色に切り替えさせる。
【００６７】
これによって、本実施例に係る温度報知装置は、前同様、投光器及び受光器等を不要として、検出した温度を比較的簡単な構造で報知することができるのに加えて、移動性を有する対象の温度状態を発光部３の発光色によって瞬時に認識することができ、当該対象の温度管理を迅速かつ正確に行うことができる。
【図面の簡単な説明】
【００６８】
【図１】本発明に係る温度報知装置の一例を示す外観斜視図である。
【図２】図１に示した温度報知装置の制御系の構成を示すブロック図である。
【図３】図２に示した制御部の制御手順を示すフローチャートである。
【図４】実施例２に係る温度報知装置を示す模式的側断面図である。
【図５】実施例３に係る温度報知装置を示す外観斜視図である。
【図６】実施例４に係る温度報知装置を示す外観斜視図である。
【符号の説明】
【００６９】
１    筐体
２    温度センサ
３    発光部
４    温度設定部
５    受信部
６    光発電パネル
７    バッテリ
２０    防水ケース
２１    上部ケース部
２２    下部ケース部
２３    繋留部
３０    本体
３１    支柱
３２    支持部材
４１    表示部
４２    昇温ボタン
４３    降温ボタン
４４    決定ボタン
４５    切替ボタン
５０    リモートコントローラ
６０    本体
６１    支持部
６２    保持部
【図１】
2005127742.tif 000003
【図２】
2005127742.tif 000004
【図３】
2005127742.tif 000005
【図４】
2005127742.tif 000006
【図５】
2005127742.tif 000007
【図６】
2005127742.tif 000008